(57)【要約】      （修正有）【課題】消費電力の増大を抑えつつ、冷蔵貯蔵室と冷凍貯蔵室とを上下に仕切る仕切壁への結露を防止することができる冷蔵庫を提供する。【解決手段】冷蔵貯蔵室２４と、冷蔵貯蔵室２４の下方に配された冷凍貯蔵室４６と、冷蔵貯蔵室２４と冷凍貯蔵室４６とを上下に仕切る仕切壁１２と、冷蔵貯蔵室２４に配設された収納容器２５とを備えた冷蔵庫１０において、冷蔵貯蔵室２４の背面から前方に向かって空気が流れる吹出流路３２が、収納容器２５と仕切壁１２との間に形成されている。【選択図】図１
2011202909.tif 000002
【特許請求の範囲】
【請求項１】
冷蔵貯蔵室と、前記冷蔵貯蔵室の下方に配された冷凍貯蔵室と、前記冷蔵貯蔵室と前記冷凍貯蔵室とを上下に仕切る仕切壁と、前記冷蔵貯蔵室に配設された収納容器とを備えた冷蔵庫において、
前記冷蔵貯蔵室の背面から前方に向かって空気が流れる吹出流路が、前記収納容器と前記仕切壁との間に形成されていることを特徴とする冷蔵庫。
【請求項２】
冷蔵庫前後方向に延び、前記収納容器の底面と前記仕切壁との間を左右に区画する仕切部材を備え、
前記仕切部材により左右に区画された空間の一方の空間は、前記吹出流路をなし、他方の空間は、前記吹出流路を流れた空気が前記冷蔵貯蔵室の後方に向かって流れる戻り流路をなしていることを特徴とする請求項１に記載の冷蔵庫。
【請求項３】
前記冷蔵貯蔵室の背面に後方へ陥没形成され、冷却器で冷却された冷気を前記吹出流路に供給する供給ダクトを備え、
前記仕切部材の上方への突出量が、前記供給ダクトの後方への陥没量より大きいことを特徴とする請求項２に記載の冷蔵庫。
【請求項４】
冷却器および送風ファンが収納された冷気生成ダクトを前記冷蔵貯蔵室の背面に区画形成するダクトカバーの側面と、冷蔵庫本体の側壁と、前記収納容器の背面とで囲まれた空間に、前記冷却器で冷却された冷気を前記吹出流路に供給する供給ダクトが形成されていることを特徴とする請求項１〜３のいずれか１項に記載の冷蔵庫。
【請求項５】
前記吹出流路の上面および側面を閉塞する流路カバーが、前記収納容器と前記仕切壁との間に配設されていることを特徴とする請求項１〜４のいずれか１項に記載の冷蔵庫。
【発明の詳細な説明】
【技術分野】
【０００１】
収納容器が配設された冷蔵貯蔵室と、その下方に仕切壁を介して配された冷凍貯蔵室とを備えた冷蔵庫に関する。
【背景技術】
【０００２】
従来より冷蔵庫では、冷蔵室や野菜室などのように内部温度が冷蔵温度に冷却される冷蔵貯蔵室と、冷凍室や製氷室などのように内部温度が冷凍温度に冷却される冷凍貯蔵室とが、断熱箱体の内部を仕切壁によって上下に区画することで設けられている。
【０００３】
このような冷蔵庫であると、例えば、野菜室と冷凍室とを上下に区画する仕切壁のように冷蔵貯蔵室と冷凍室貯蔵室とを区画する仕切壁は、下方の冷凍貯蔵室によって冷却され、冷蔵貯蔵室に面する仕切壁の上面の温度が冷蔵貯蔵室の温度より低くなるため、仕切壁の上面に結露が発生しやすいという問題がある。
【０００４】
そこで、仕切壁にヒータを設けてこれを加熱することで仕切壁の上面の結露を防止する冷蔵庫が提案されている（例えば、下記特許文献１参照）。
【先行技術文献】
【特許文献】
【０００５】
【特許文献１】特開２００６−３４３０９８号公報
【発明の概要】
【発明が解決しようとする課題】
【０００６】
上記のような冷蔵庫では、冷蔵庫内でヒータを発熱させるため、ヒータ通電により消費電力が増大することに加え、冷蔵貯蔵室内がヒータからの熱によって加熱され、冷却効率の悪化により更に消費電力を増大させる問題がある。
【０００７】
そこで、本発明は、上記の問題を考慮してなされたものであり、消費電力の増大を抑えつつ、冷蔵貯蔵室と冷凍貯蔵室とを上下に仕切る仕切壁への結露を防止することができる冷蔵庫を提供することを目的とする。
【課題を解決するための手段】
【０００８】
本発明に係る冷蔵庫は、冷蔵貯蔵室と、前記冷蔵貯蔵室の下方に配された冷凍貯蔵室と、前記冷蔵貯蔵室と前記冷凍貯蔵室とを上下に仕切る仕切壁と、前記冷蔵貯蔵室に配設された収納容器とを備えた冷蔵庫において、前記冷蔵貯蔵室の背面から前方に向かって空気が流れる吹出流路が、前記収納容器と前記仕切壁との間に形成されていることを特徴とする。
【発明の効果】
【０００９】
本発明の冷蔵庫では、上記構成により、消費電力の増大を抑えつつ、冷蔵貯蔵室と冷凍貯蔵室とを上下に仕切る仕切壁への結露を防止することができる。
【図面の簡単な説明】
【００１０】
【図１】本発明の第１の実施形態にかかる冷蔵庫の断面図である。
【図２】図１に示す冷蔵庫の扉を省略した正面図である。
【図３】図１のＡ−Ａ断面図である。
【図４】図３のＢ−Ｂ断面図である。
【図５】本発明の第２の実施形態にかかる冷蔵庫の要部拡大断面図である。
【図６】本発明の第３の実施形態にかかる冷蔵庫の断面図である。
【図７】本発明の第４の実施形態にかかる冷蔵庫の要部拡大断面図である。
【発明を実施するための形態】
【００１１】
（第１の実施形態）
以下、本発明の第１の実施形態について、図面を参照して説明する。
【００１２】
本実施形態に係る冷蔵庫１０は、図１に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１３】
冷蔵空間２０は、冷蔵温度（例えば、２〜３℃）に冷却される空間であって、内部がさらに仕切板２１によって上下に区画され、上部空間に複数段の載置棚を設けた冷蔵室２２が設けられ、下部空間に引き出し式の収納容器２５を配置する野菜室２４が設けられている。
【００１４】
野菜室２４の下方に配置した冷凍空間４０は、冷凍温度（例えば、−１８℃以下）に冷却される空間であって、比較的小容積の自動製氷機を備えた製氷室４２と小型冷凍室４４とが左右に併設され、その下方に冷凍室４６が設けられている。
【００１５】
冷蔵室２２の開口部は、冷蔵庫本体１１の一側部の上下に設けられたヒンジにより回動自在に枢支された冷蔵室扉２２ａにより閉塞されている。
【００１６】
野菜室２４、製氷室４２、小型冷凍室４４および冷凍室４６の開口部は、引き出し式扉２４ａ，４４ａ，４６ａにより閉塞されている。各引き出し式扉２４ａ，４４ａ，４６ａの裏面側に固着した左右一対の支持枠には、収納容器２５，４５，４７が保持されており、開扉動作とともに庫外に引き出されるように構成されている。
【００１７】
また、図１〜図４に示すように、野菜室２４の底面を構成する断熱仕切壁１２の上面には、上方へ突出する突条をなした仕切部材３０が配設されている。仕切部材３０は、例えば、冷蔵庫幅方向のほぼ中央部において、野菜室２４の後端部から少なくとも冷蔵庫前後方向の中央部より前方位置であって、扉２４ａが閉扉された状態における収納容器２５の前端より後方位置で終端するように、冷蔵庫前後方向に延びるように配設されている。
【００１８】
このような仕切部材３０の上には、野菜室２４内に配設された収納容器２５が載置される。これにより、収納容器２５の底面２５ａが、仕切部材３０の上方への突出量Ａに相当する距離だけ断熱仕切壁１２から離れて配置され、収納容器２５の底面２５ａと断熱仕切壁１２の上面との間に仕切部材３０により冷蔵庫正面視において左右に区画された空間が形成されている。
【００１９】
仕切部材３０により左右に区画された空間の一方の空間（例えば、図２および図３において右側の空間）は、野菜室２４の背面から前方に向かって空気が流れる吹出流路３２を構成し、他方の空間（例えば、図２および図３において左側の空間）は、吹出流路３２を流れた空気が野菜室２４の後方に向かって流れる戻り流路３４を構成している。
【００２０】
冷蔵空間２０の背面には、冷蔵用冷却器５２と送風ファン５４が配設されている。詳細には、冷蔵空間２０の背面にはダクトカバー１４が配設され、ダクトカバー１４と冷蔵庫本体１１の背面との間に冷気生成ダクト２６が形成されている（図３、図４参照）。
【００２１】
冷気生成ダクト２６には、冷蔵用冷却器５２および送風ファン５４が収容されており、送風ファン５４の回転駆動により、ダクトカバー１４に穿設された吸込口３６から野菜室２４内の空気を吸い込み、冷蔵用冷却器５２と熱交換させて冷気を生成し、生成した冷気を冷蔵室２２に送風する。
【００２２】
冷蔵室２２に送風された冷気は、冷蔵室２２内を流通し室内を冷却した後、仕切板２１の後端部に形成された連通口２８から供給ダクト（供給経路）２７を通って野菜室２４内へ導入される。
【００２３】
供給ダクト２７は、連通口２８から野菜室２４の下部まで野菜室２４の背面に後方へ陥没するように形成されており、ダクトカバー１４の側面１４ａと、この側面１４ａと対向する冷蔵庫本体１１の側壁１１ａと、野菜室２４内に配設された収納容器２５の背面２５ｂと、収納容器２５の背面２５ｂと対向する冷蔵庫本体１１の背面１１ｂで囲まれた空間に形成されている（図３参照）。
【００２４】
供給ダクト２７の下端部は、収納容器２５と断熱仕切壁１２との間に形成された吹出流路３２の後端開口と対向しており、供給ダクト２７内を通って野菜室２４の背面下部に到達した冷気は、吹出流路３２に導入される。
【００２５】
そして、吹出流路３２に導入された冷気は、野菜室２４の背面から前方に向かって流れ、仕切部材３０が終端する位置において戻り流路３４へ流れ込み、戻り流路３４内を野菜室２４の後方に向かって流れ、戻り流路３４の後端開口と対向する吸込口３６から冷気生成ダクト２６に吸い込まれ、冷蔵室２２および野菜室２４を冷却し終えた冷気は、再び冷蔵用冷却器５２に戻され冷却される。
【００２６】
なお、図中の符号３８は、例えば、弾性材料からなり、ダクトカバー１４および収納容器２５の背面２５ｂに当接して両者の間をシールするシール部材である。シール部材３８により、供給ダクト２７の下端部に到達した冷気が、吹出流路３２へ流れることなく、収納容器２５の背面２５ｂとダクトカバー１４との間の空間Ｓを通ってダクトカバー１４に穿設された吸込口３６から冷気生成ダクト２６内に取り込まれる、いわゆる、短絡（ショートサーキット）を防止することができる。そのため、より確実に吹出流路３２および戻り流路３４に空気を流通させることができ、断熱仕切壁１２の上面への結露を防止することができる。
【００２７】
また、冷凍空間４０の背面には、冷凍用冷却器５３と送風ファン５５が配設されており、送風ファン５５の回転駆動によって冷凍用冷却器５３で生成された冷気が吹出口より製氷室４２、小型冷凍室４４、および冷凍室４６に導入されることで、冷凍空間４０を所定温度に冷却する。そして、冷凍空間４０を冷却し終えた冷気は、再び冷凍用冷却器５３に戻され冷却される。
【００２８】
以上のように本実施形態の冷蔵庫１０では、野菜室２４の底面を構成する断熱仕切壁１２と収納容器２５の底面２５ａとの間に空気を流通させる流路３２、３４が形成されており、断熱仕切壁１２と収納容器２５との間に空気が長時間滞留することがない。そのため、断熱仕切壁１２の上面の温度は、野菜室２４内の温度とほぼ等しくなり、断熱仕切壁１２の上面への結露を防止することができる。
【００２９】
しかも、本実施形態の冷蔵庫１０では、断熱仕切壁１２の上面への結露を防止するために断熱仕切壁１２をヒータ加熱する必要が無く、消費電力の増大を抑えることができる。
【００３０】
また、冷蔵庫本体１１の前面開口部を扉２４ａによって閉塞する冷蔵庫１０では、冷蔵庫本体１１の前面開口部と扉２４ａとの接合部分より庫外の熱が庫内に漏洩しやすいことから、収納容器２５の前方に野菜室２４内の空気を流通させると、庫外から漏洩した熱により庫内の空気が暖められ冷却効率が悪化するおそれがある。しかしながら、本実施形態の冷蔵庫１０では、断熱仕切壁１２と収納容器２５の底面２５ａとの間に吹出流路３２と戻り流路３４とが形成されており、野菜室２４の背面から前方に向かって吹出流路３２内を流れた空気が、戻り流路３４を通って吸込口３６より冷気生成ダクト２６に戻るため、収納容器２５の前方に空気が流通するのを極力抑えることができ、よって、冷却効率の悪化を抑え消費電力の増大を抑えることができる。
【００３１】
また、本実施形態の冷蔵庫１０では、収納容器２５と断熱仕切壁１２との間に仕切部材３０を配設するといった簡単な構成により、収納容器２５の底面２５ａと断熱仕切壁１２の上面との間に空間を形成しつつ、該空間を左右に区画して吹出流路３２と戻り流路３４とを形成することができ、組立工程を簡単にすることができる。
【００３２】
また、本実施形態の冷蔵庫１０では、冷蔵用冷却器５２で生成された冷気が、冷蔵室２２より供給ダクト２７、吹出流路３２、および戻り流路３４を通って冷気生成ダクト２６へ戻るように構成されており、収納容器２５は、背面２５ｂおよび底面２５ａの外側から冷却され、収納容器２５の内部に冷気が流入しにくい。そのため、収納容器２５の外側から間接的に内部の貯蔵物を冷却することができ、収納容器２５の内部を高湿度に保持することができる。
【００３３】
更にまた、本実施形態の冷蔵庫１０では、供給ダクト２７が、ダクトカバー１４の側面１４ａと、冷蔵庫本体１１の側壁１１ａと、収納容器２５の背面２５ｂと、冷蔵庫本体１１の背面１１ｂとで囲まれた空間に形成されており、別個の部材を必要とすることなく冷蔵室２２の冷気を野菜室２４の背面下部へ導く流路を形成することができ、部品点数を減らして組立工程を簡単にすることができる。
【００３４】
なお、本実施形態では、断熱仕切壁１２の上面に仕切部材３０を配設する場合について説明したが、収納容器２５の底面２５ａに仕切部材３０を下方へ突出形成してもよい。
【００３５】
（第２の実施形態）
次に、第２の実施形態について図５を参照して説明する。なお、図５は、第１の実施形態の図４に相当する要部拡大断面図である。
【００３６】
本実施形態では、図５に示すように、供給ダクト２７の冷蔵庫後方への陥没量Ｂ、すなわち、冷蔵庫本体１１の背面１１ｂから冷蔵庫前方へ突出するダクトカバー１４の突出量Ｂが、仕切部材３０の上方への突出量Ａより小さく設定されている。
【００３７】
供給ダクト２７の下端部に到達した冷気は、収納容器２５の背面２５ｂとダクトカバー１４の下方との間に形成された冷蔵庫幅方向に延びる空間Ｓを通ってダクトカバー１４に穿設された吸込口３６から冷気生成ダクト２６内に取り込まれる短絡（ショートサーキット）のおそれがある。しかしながら、本実施形態の冷蔵庫１０では、ダクトカバー１４の突出量Ｂが仕切部材３０の突出量Ａより小さく設定されており、吹出流路３２に比べて空間Ｓへの流路抵抗が大きくなるので、上記したような短絡の発生を防止することができる。そのため、より確実に吹出流路３２および戻り流路３４に空気を流通させることができ、断熱仕切壁１２の上面への結露を防止することができる。
【００３８】
なお、上記した構成および作用効果以外は第１の実施形態と同様であり、詳細な説明は省略する。
【００３９】
また、仕切部材３０の後方は、空間Ｓを仕切るように上方に突出させてもよい。そうするとショートサーキットが防げる。
【００４０】
（第３の実施形態）
次に、第３の実施形態について図６を参照して説明する。なお、図６は、第１の実施形態の図３に相当する断面図である。
【００４１】
本実施形態では、図６に示すように、吹出流路３２および戻り流路３４の上面や側面が流路カバー３９で覆われている。具体的には、流路カバー３９は、収納容器２５と断熱仕切壁１２との間に配設され、収納容器２５や断熱仕切壁１２とは別個の部材で構成されており、内部に偏平した筒状の吹出流路３２および戻り流路３４が形成されている。
【００４２】
このような流路カバー３９に形成された吹出流路３２の後端部は、供給ダクト２７の下端部まで延び、吹出流路３２の後端開口部３２ａが上方に向けて開口している。上方に開口する吹出流路３２の後端開口部３２ａは、供給ダクト２７の下端開口部とが上下に対向している。また、戻り流路３４の後端部は、ダクトカバー１４の下方位置まで延び、戻り流路３４の後端開口部が、ダクトカバー１４の下端部に形成された吸込口３６に対向している。
【００４３】
本実施形態では、流路カバー３９を収納容器２５と断熱仕切壁１２との間に配設することで、流路カバー３９の内部に形成された吹出流路３２および戻り流路３４によって供給ダクト２７と吸込口３６とを連通することができる。そのため、供給ダクト２７を通って野菜室２４に供給される冷気を確実に吹出流路３２および戻り流路３４に流通させることができ、断熱仕切壁１２の上面への結露を防止することができる。
【００４４】
なお、上記した構成および作用効果以外は第１の実施形態と同様であり、詳細な説明は省略する。
【００４５】
（第４の実施形態）
次に、第４の実施形態について図７を参照して説明する。図７は、収納容器２５の底面２５ａおよび仕切部材３０を示す冷蔵庫１０の要部拡大断面図である。
【００４６】
本実施形態では、図７に示すように、収納容器２５の底面２５ａに当接する仕切部材３０の上面に車輪などの摺動部３７が設けられている。
【００４７】
このような本実施形態では、収納容器２５の底面２５ａと仕切部材３０との摺動抵抗を小さくすることができるため、扉２４ａを開閉しやすくなり、冷蔵庫の使い勝手を向上することができる。
【００４８】
なお、上記した構成および作用効果以外は第１の実施形態と同様であり、詳細な説明は省略する。
【符号の説明】
【００４９】
１０…冷蔵庫      １１…冷蔵庫本体      １１ａ…側壁
１１ｂ…背面      １２…断熱仕切壁      １４…ダクトカバー
１４ａ…側面      ２０…冷蔵空間        ２２…冷蔵室
２４…野菜室      ２５…収納容器        ２５ａ…底面
２５ｂ…背面      ２６…冷気生成ダクト  ２７…供給ダクト
２８…連通口      ３０…仕切部材        ３２…吹出流路
３４…戻り流路    ３６…吸込口          ３８…シール部材
４０…冷凍空間    ４２…製氷室          ４４…小型冷凍室
４６…冷凍室      ５２…冷蔵用冷却器    ５４…送風ファン
【図１】
2011202909.tif 000003
【図２】
2011202909.tif 000004
【図３】
2011202909.tif 000005
【図４】
2011202909.tif 000006
【図５】
2011202909.tif 000007
【図６】
2011202909.tif 000008
【図７】
2011202909.tif 000009